(57)【要約】    【課題】  窓孔を有するシャッタカーテンのパネルに於いて、窓孔の加工が容易で、而も組立作業性、意匠性に優れたパネル構造を提供する。    【解決手段】  表パネル部材３２と裏パネル部材３３とで中空構造が構成され、前記表パネル部材、裏パネル部材に窓孔４５，５１が設けられ、前記表パネル部材と裏パネル部材との間の中空部に窓部材４３が前記窓孔に位置決めされて設けられた。    【選択図】          図１
2005120600.tif 000002
【特許請求の範囲】
【請求項１】
表パネル部材と裏パネル部材とで中空構造が構成され、前記表パネル部材、裏パネル部材に窓孔が設けられ、前記表パネル部材と裏パネル部材との間の中空部に窓部材が前記窓孔に位置決めされて設けられたことを特徴とするシャッタカーテンのパネル構造。
【請求項２】
前記表パネル部材は上部及び下部に中空部を有し、上部と下部間に形成される凹部に前記窓部材が収納される請求項１のシャッタカーテンのパネル構造。
【請求項３】
前記凹部の上側、下側のいずれか一方に嵌合溝が形成され、前記裏パネル部材の一端が前記嵌合溝に嵌合されて前記表パネル部材に取付けられる請求項２のシャッタカーテンのパネル構造。
【請求項４】
前記凹部の上側、下側のいずれか一方に段差部が形成され、前記裏パネル部材の一端部に凹溝部が形成され、該凹溝部と前記段差部とが契合可能であり、前記凹溝部に収納される固着具により前記表パネル部材と裏パネル部材とを固定する請求項２のシャッタカーテンのパネル構造。
【発明の詳細な説明】
【技術分野】
【０００１】
本発明は、少なくとも一部がパネルで構成されたシャッタカーテン、特にシャッタカーテンのパネル構造に関するものである。
【背景技術】
【０００２】
建屋等の構築構造物の出入口、窓等の開口部、或は車両のコンテナ、荷台の開口部等を開閉する開閉手段としてシャッタ装置がある。シャッタ装置としては、例えば、シャッタカーテンが天井面に沿って格納されるオーバへッドドアやパネルシャッタ等が挙げられ、斯かるシャッタ装置はパネルが屈曲可能に連結されて構成されたシャッタカーテンを具備している。
【０００３】
図５〜図７によって、オーバヘッドドアの概略を説明する。
【０００４】
建屋等の構築構造物の開口部の両側柱に沿って、垂直ガイドレール１が設けられ、天井に沿って水平ガイドレール２が設けられ、前記垂直ガイドレール１と前記水平ガイドレール２とは湾曲レール３によって連結されている。前記垂直ガイドレール１の上方には水平な巻取シャフト４を具備する開閉装置５が設けられている。
【０００５】
前記垂直ガイドレール１、前記湾曲レール３、前記水平ガイドレール２に沿ってシャッタカーテン６がスライド可能となっており、該シャッタカーテン６は所要数のパネル７が屈曲自在に連結されて構成されている。
【０００６】
前記巻取シャフト４の両端部にはドラム８が設けられ、該ドラム８に巻付けられたワイヤ９が前記シャッタカーテン６の下端部に係着されている。開口部が開かれる場合は、前記開閉装置５により前記巻取シャフト４を介し前記ドラム８が回転されることで前記ワイヤ９が巻取られ、前記シャッタカーテン６が前記垂直ガイドレール１に沿って引上げられ、更に前記水平ガイドレール２に格納される様になっている。
【０００７】
又、開口部が閉じられる場合は、前記開閉装置５により前記巻取シャフト４を介して前記ドラム８が逆方向に回転され、前記ワイヤ９が繰出されて前記シャッタカーテン６が降下され、開口部が閉じられる。
【０００８】
シャッタカーテンの従来のパネル構造として例えば特許文献１がある。図８、図９により従来のパネル構造について説明する。
【０００９】
前記パネル７はアルミ等の引抜き成形、或は押出し成形により一体成形される。該パネル７は、主に表パネル部１１と裏パネル部１２から成る中空構造であり、中空部１０の中途部に補強用の中間リブ部１３が、前記表パネル部１１と裏パネル部１２間に掛渡されて形成されている。
【００１０】
前記パネル７の上端部に図中、右上部分が欠切された円筒形状の雌連結部１４が形成され、前記パネル７の下端部にフック形状の雄連結部１５が形成され、該雄連結部１５は下側に位置するパネル７の雌連結部１４と回転自在に嵌合する。
【００１１】
前記雄連結部１５の両端には軸１６が嵌着され、該軸１６にガイドローラ１７が回転自在に設けられている。
【００１２】
而して、前記パネル７が所要枚数連結され、前記シャッタカーテン６が形成され、前記ガイドローラ１７が前記垂直ガイドレール１、前記湾曲レール３、前記水平ガイドレール２に回転自在に嵌合し、前記シャッタカーテン６は前記ガイドローラ１７を介して前記垂直ガイドレール１、前記湾曲レール３、前記水平ガイドレール２に案内され、前記垂直ガイドレール１に沿って昇降し、前記湾曲レール３を通過する場合は該湾曲レール３の形状に倣って屈曲し、更に前記水平ガイドレール２に沿って水平移動して格納される。
【００１３】
更に、シャッタカーテンが閉じられた状態で、採光が要求される場合は、明り取り窓がパネルに設けられる。
【００１４】
パネルに窓が設けられた従来のシャッタカーテンのパネル構造として例えば特許文献２があり、図１０により説明する。尚、特許文献２中ではパネルはスラットとして表現されている。
【００１５】
パネル２１は中空断面であり、該パネル２１の上部には上段のパネル２１と連結する上フック部２２を有し、前記パネル２１の下部には下段のパネル２１と連結する下フック部２３を有している。
【００１６】
前記パネル２１の内部天井面には上ガイドリブ２４が形成され、前記パネル２１の内部床面には下ガイドリブ２５が形成されている。前記パネル２１には表面部２１ａ（図１０中凸面部）、裏面部２１ｂを貫通する採光孔２６ａ，２６ｂが穿設され、前記パネル２１の表面部２１ａと前記上ガイドリブ２４、下ガイドリブ２５間にはそれぞれガイド溝２７が形成され、該ガイド溝２７には前記表面部２１ａに沿って摺動する窓板材２８が嵌合される。該窓板材２８には開閉用の摘み２９が設けられている。
【００１７】
而して、前記窓板材２８を移動させることで、前記採光孔２６ａ，２６ｂが開閉される。
【００１８】
上記した従来の窓付パネルでは、前記採光孔２６ａ，２６ｂを形成するのに、前記パネル２１が中空構造であるので、孔明け加工にプレス加工を採用することはできず、ジグソー或はフライス加工等機械加工によっていた。
【００１９】
この為、加工時間が掛り、又加工時に発生する切粉によりパネルが傷付く虞れがあった。又、パネルが大型化すると機械加工に更に時間が掛り、製作コストの低減が難しかった。
【００２０】
【特許文献１】特開２００３−１３６７４号公報
【００２１】
【特許文献２】特開平１１−２２９７３２号公報
【発明の開示】
【発明が解決しようとする課題】
【００２２】
本発明は斯かる実情に鑑み、窓孔の加工が容易で、而も組立作業性、意匠性に優れたシャッタカーテンのパネル構造を提供するものである。
【課題を解決するための手段】
【００２３】
本発明は、表パネル部材と裏パネル部材とで中空構造が構成され、前記表パネル部材、裏パネル部材に窓孔が設けられ、前記表パネル部材と裏パネル部材との間の中空部に窓部材が前記窓孔に位置決めされて設けられたシャッタカーテンのパネル構造に係り、又前記表パネル部材は上部及び下部に中空部を有し、上部と下部間に形成される凹部に前記窓部材が収納されるシャッタカーテンのパネル構造に係り、又前記凹部の上側、下側のいずれか一方に嵌合溝が形成され、前記裏パネル部材の一端が前記嵌合溝に嵌合されて前記表パネル部材に取付けられるシャッタカーテンのパネル構造に係り、更に又前記凹部の上側、下側のいずれか一方に段差部が形成され、前記裏パネル部材の一端部に凹溝部が形成され、該凹溝部と前記段差部とが契合可能であり、前記凹溝部に収納される固着具により前記表パネル部材と裏パネル部材とを固定するシャッタカーテンのパネル構造に係るものである。
【発明の効果】
【００２４】
本発明によれば、表パネル部材と裏パネル部材とで中空構造が構成され、前記表パネル部材、裏パネル部材に窓孔が設けられ、前記表パネル部材と裏パネル部材との間の中空部に窓部材が前記窓孔に位置決めされて設けられたので、窓孔は平板部に穿設可能であり、加工が容易で、製作コストが低減でき、又、窓部材と表パネル部材、裏パネル部材とは略面一状態とすることが可能であり、パネル全体に亘って形状の統一性が確保でき、意匠性が向上する。
【００２５】
又、本発明によれば、前記凹部の上側、下側のいずれか一方に嵌合溝が形成され、前記裏パネル部材の一端が前記嵌合溝に嵌合されて前記表パネル部材に取付けられるので、表パネル部材と裏パネル部材との位置決め、取付けが簡単になり作業性が向上する。
【００２６】
又、本発明によれば、前記凹部の上側、下側のいずれか一方に段差部が形成され、前記裏パネル部材の一端部に凹溝部が形成され、該凹溝部と前記段差部とが契合可能であり、前記凹溝部に収納される固着具により前記表パネル部材と裏パネル部材とを固定するので、表パネル部材と裏パネル部材との位置決め、取付けが簡単になり作業性が向上し、固着具の頭部が突出せずに凹溝部に収納されるので、意匠性が向上する等の優れた効果を発揮する。
【発明を実施するための最良の形態】
【００２７】
以下、図面を参照しつつ本発明を実施する為の最良の形態を説明する。
【００２８】
図１〜図３により第１の実施の形態について説明する。
【００２９】
パネル３１は主に表パネル部材３２、裏パネル部材３３から構成されており、前記表パネル部材３２、裏パネル部材３３はアルミ材等から成り、引抜き、或は押出し成形によって製作される。前記表パネル部材３２と裏パネル部材３３とは後述する様に一体化可能であり、一体化された状態で中空構造となる様に構成されている。
【００３０】
先ず、前記表パネル部材３２を説明する。
【００３１】
該表パネル部材３２の上部には上中空部３４が形成され、下部には下中空部３５が形成される。前記上中空部３４の上端には雌連結部１４が形成され、前記上中空部３４の裏面側には２段に段差部３６ａ，３６ｂが形成されている。前記上中空部３４、前記下中空部３５は、前記表パネル部材３２及び前記パネル３１に於ける強度部材となっている。
【００３２】
前記下中空部３５の下端には雄連結部１５が形成され、該雄連結部１５に対向して表面側には下舌片３７が延出され、該下舌片３７と前記雄連結部１５間には円筒状の溝３８が形成される。前記下中空部３５の裏面側角部からは斜め上方に向って延出する斜片３９が形成され、該斜片３９の基部の裏面側には嵌合溝４１が形成される。
【００３３】
前記上中空部３４と下中空部３５間は表パネル部４２によって連続され、該表パネル部４２と前記上中空部３４、前記下中空部３５間には後述する窓部材４３を収納する凹部４４が形成される。又、前記表パネル部４２には窓孔４５が穿設されていると共に前記表パネル部４２の裏面には、前記窓部材４３と係合する枠部４６が形成される。前記窓孔４５は少なくとも１つ、若しくは前記表パネル部４２の長さに応じて適宜設けられる。
【００３４】
前記裏パネル部材３３について説明する。
【００３５】
該裏パネル部材３３の上部には上舌片４７、凹溝部４８が形成され、下部には係合端部４９が形成され、前記上舌片４７、前記凹溝部４８は前記段差部３６ａ，３６ｂと契合し、前記係合端部４９は前記嵌合溝４１に嵌合する様になっている。又、前記裏パネル部材３３には前記窓孔４５に対応して少なくとも窓孔５１が穿設されている。
【００３６】
前記窓部材４３は、矩形の枠体５２に表面板５３、裏面板５４が貼設され、中空構造となっている。前記枠体５２、表面板５３、裏面板５４には透明、又は透光性を有した材料、例えばガラス材、又はポリカーボネイト等の樹脂材料が使用される。又、前記窓部材４３は好ましくは気密構造であり、中空部には好ましくは乾燥空気等の乾燥気体が封入される。
【００３７】
前記パネル３１を組立てる場合は、先ず前記凹部４４に前記窓部材４３を嵌込み、前記枠部４６に前記窓部材４３の下端を係合させ位置合せを行う。該窓部材４３と前記窓孔４５との位置合せが完了すると、ゴム等で構成したブロック材（図示せず）等を前記表パネル部４２に接着等により固定し、前記窓部材４３の図１中紙面に対して垂直方向を規制する。前記斜片３９は前記窓部材４３の下面に当接して該窓部材４３の重量を支持する。
【００３８】
前記裏パネル部材３３の係合端部４９を前記嵌合溝４１に嵌合させ、更に前記凹溝部４８、前記上舌片４７を前記段差部３６ａ，３６ｂに契合させる。螺子、ボルト、リベット等の頭部を有する固着具５５により前記凹溝部４８と前記段差部３６ｂとを固着する。前記固着具５５の頭部は前記凹溝部４８の深さより低くなっており、該凹溝部４８に収納される。前記裏パネル部材３３と前記表パネル部材３２との間に前記窓部材４３が挾持されると共に前記表パネル部材３２、前記窓部材４３、前記裏パネル部材３３が一体化される。
【００３９】
前記窓孔４５、窓孔５１の周囲にビード５６，５７を嵌込み、前記窓部材４３と前記表パネル部材３２、前記裏パネル部材３３と前記窓部材４３間を気密とする。尚、前記ビード５６，５７は前記表パネル部材３２、裏パネル部材３３に先付けしてもよい。前記凹溝部４８に合成樹脂製の溝カバー５８を嵌込む。前記溝３８の両端を覆う様に抜け止具５９がカシメ、螺子止等所要の手段で前記下中空部３５部分に固着される。
【００４０】
前記パネル３１同士の連結は、図８、図９で示されると同様に行われ、前記抜け止具５９は連結された上下のパネル３１，３１間のずれを防止する。
【００４１】
該パネル３１では、前記表面板５３と前記表パネル部材３２、裏パネル部材３３とが略面一であり、採光窓を設けた場合も、デザイン上の統一性が確保され、意匠性が損われることがない。又、採光窓に段差が生じないので、窓枠に埃等が溜ることがなく、清掃等の保守性がよくなる。
【００４２】
更に、前記窓孔４５、窓孔５１が設けられる部位は平板部であるので、窓孔はプレス加工が可能であり、加工性に優れ、製作コストの低減が可能である。
【００４３】
又、前記表パネル部材３２と前記裏パネル部材３３との組立は、前記係合端部４９と前記嵌合溝４１との嵌合、前記凹溝部４８と前記段差部３６ｂとの契合で前記表パネル部材３２と前記裏パネル部材３３との位置決めが行われるので、作業が簡単である。
【００４４】
図４は第２の実施の形態を示しており、図４中、図１、図３中で示したものと同等のものには同符号を付してある。該第２の実施の形態は、パネル３１の厚みが薄い場合に関するものであり、窓部材４３の厚みも薄くなることから、第１の実施の形態で示した斜片３９が省略されている。第２の実施の形態と第１の実施の形態とは基本的な構造は同一であるので詳細については省略する。
【００４５】
尚、上記実施の形態に於いて、嵌合溝４１は上中空部３４側に形成され、段差部３６ａ，３６ｂは下中空部３５側に設けられてもよい。
【００４６】
尚、本発明に於いて、窓部材を設けたパネルと設けないパネルとの組合わせ連結にてシャッタカーテンを構成する様にしてもよく、全てが窓部材を設けたパネルの連結にてシャッタカーテンを構成する様にしてもよく、又、パネルで構成されたカーテン部と他の部材、例えば、パイプやシート、ネット等にて構成されたカーテン部との組合わせ連結にてシャッタカーテンを構成する様にしてもよい。
【００４７】
又、パネルを屈曲自在に連結してシャッタカーテンを構成したシャッタ装置として説明したが、パネル同士が折畳み自在に連結して構成されたシャッタカーテンや分離・連結自在に構成されたシャッタカーテンとしたシャッタ装置でもよい。
【００４８】
更に、１つのパネルに設ける窓部材の数は、１つでもよく、２つ以上の複数でもよく、任意である。
【図面の簡単な説明】
【００４９】
【図１】本発明の第１の実施の形態を示す立断面図である。
【図２】同前本発明の第１の実施の形態を示す背面図である。
【図３】同前本発明の第１の実施の形態を示す分解図である。
【図４】本発明の第２の実施の形態を示す立断面図である。
【図５】オーバヘッドドアの概略側面図である。
【図６】オーバヘッドドアの概略正面図である。
【図７】オーバヘッドドアの開閉装置の概略図である。
【図８】従来のシャッタカーテンの要部斜視図である。
【図９】従来のシャッタカーテンのパネル構造を示す側断面図である。
【図１０】従来の他のシャッタカーテンのパネル構造を示す側断面図である。
【符号の説明】
【００５０】
３１            パネル
３２            表パネル部材
３３            裏パネル部材
３４            上中空部
３５            下中空部
３６ａ          段差部
３６ｂ          段差部
３９            斜片
４１            嵌合溝
４３            窓部材
４６            枠部
４８            凹溝
４９            係合端部
５８            溝カバー
【図１】
2005120600.tif 000003
【図２】
2005120600.tif 000004
【図３】
2005120600.tif 000005
【図４】
2005120600.tif 000006
【図５】
2005120600.tif 000007
【図６】
2005120600.tif 000008
【図７】
2005120600.tif 000009
【図８】
2005120600.tif 000010
【図９】
2005120600.tif 000011
【図１０】
2005120600.tif 000012